(57)【要約】【課題】  バイクの前輪の大きさに合わせて可動する前輪前保持体と前輪底保持体と前輪後保持体とからなることにより、押圧して保持することができるバイク用前輪保持具を提供する。【解決手段】  バイクの前輪の前部を保持する前後方向に可動する上部アームの上端部に上下方向に可動する前輪前受部を設けてなる前輪前保持体と、前輪の底部を保持する上下方向に可動する下部アームの一側端部に前後に可動する前輪底受部を設けてなる前輪底保持体と、前輪の後部を保持するシーソー状に可動する前輪後受部を設けてなる前輪後保持体とから構成されることを特徴とするバイク用前輪保持具。【選択図】図１
2010052706.tif 000002
【特許請求の範囲】
【請求項１】
バイクの前輪の前部を保持する前後方向に可動する上部アームの上端部に上下方向に可動する前輪前受部を設けてなる前輪前保持体と、前輪の底部を保持する上下方向に可動する下部アームの一側端部に前後に可動する前輪底受部を設けてなる前輪底保持体と、前輪の後部を保持するシーソー状に可動する前輪後受部を設けてなる前輪後保持体とから構成されることを特徴とするバイク用前輪保持具。
【請求項２】
基台の前支持部に、上部アーム及び下部アームを一定方向に支持すると共に、基台の後支持部に、前輪後受部を一定方向に支持してなることを特徴とする請求項１記載のバイク用前輪保持具。
【請求項３】
上部アームを略垂直方向に、下部アームを略水平方向に、前輪後受部を前斜状方向に形成してなることを特徴とする請求項２記載のバイク用前輪保持具。
【請求項４】
前輪前受部及び前輪底受部を右上方向に支持してなることを特徴とする請求項１、２又は３記載のバイク用前輪保持具。
【請求項５】
前輪後受部に、ロック機構を設けてなることを特徴とする請求項１、２、３又は４記載のバイク用前輪保持具。
【発明の詳細な説明】
【技術分野】
【０００１】  本発明は、バイクの前輪の大きさに関係なく保持できるバイク用前輪保持具に関するものである。
【背景技術】
【０００２】  従来の技術としては、往復動する前輪受台を備えたパレットをリフトで搬送して、格納棚と入出庫エリアに面した入出庫位置との間で移動させるようにしたバイク駐輪場において、前輪受台にバイクのスタンドを支持するためのスタンドプレートを設けて、スタンドプレートを入出庫時にパレットから入出庫エリアに突出させるようにしたことを特徴とするバイク駐輪場がある。（特許文献１参照）【０００３】  また、別の従来技術として、往復動する前輪受台を備えたパレットをリフトで搬送して、格納棚と入出庫通路に面した入出庫位置との間で移動させるようにしたバイク駐輪場の駐輪装置において、パレットに複数の前輪受台を並列に配設し、各々の前輪受台を、左右に隙間を設けて分割した一対のブロックで構成すると共に、該一対のブロックの斜動手段を設けて、該一対のブロックを斜め運動させるための案内部材と、該一対のブロックを復帰させるためのバネ部材とで、該一対のブロックをバイクの前輪の自重により、Ｖ字状に斜動させるようにしたことを特徴とするバイク駐輪装置がある。（特許文献２参照）
【特許文献１】  特開平１１−７１９３０号公報
【特許文献２】  特開２０００−２１３１９５号公報
【発明の開示】
【発明が解決しようとする課題】
【０００４】  上記前者の前輪受台は、固定式であり、バイク前輪を大きさに合わせて確実に保持することはできない。【０００５】  また、上記後者においても、バイクの前輪の自重により、Ｖ字状に斜動させ、前輪を側方より保持するものであるが、前部は当接して保持しており、確実に保持しているとはいえない。【０００６】  本発明は、このような従来の構成が有していた問題を解決しようとするもので、バイクの前輪の大きさに合わせて可動する前輪前保持体と前輪底保持体と前輪後保持体とからなることにより、３方向より押圧して保持することができるバイク用前輪保持具を提供することを目的とする。
【課題を解決するための手段】
【０００７】  本発明は、上記目的を達成するために、バイクの前輪の前部を保持する前後方向に可動する上部アームの上端部に上下方向に可動する前輪前受部を設けてなる前輪前保持体と、前輪の底部を保持する上下方向に可動する下部アームの一側端部に前後に可動する前輪底受部を設けてなる前輪底保持体と、前輪の後部を保持するシーソー状に可動する前輪後受部を設けてなる前輪後保持体とから構成される。
基台の前支持部に、上部アーム及び下部アームを一定方向に支持すると共に、基台の後支持部に、前輪後受部を一定方向に支持してなる。
上部アームを略垂直方向に、下部アームを略水平方向に、前輪後受部を前斜状方向に形成してなる。
前輪前受部及び前輪底受部を右上方向に支持してなる。
前輪後受部に、ロック機構を設けてなることを特徴とする。
【発明の効果】
【０００８】１）、前輪前保持体と、前輪底保持体と、前輪後保持体との構成により、バイクの前輪を３方向にて押圧して、確実に保持するものである。
２）、可動する上部アームと前輪前受部により、特にバイクの前輪の前部を押圧保持できる。
３）、可動する下部アームと前輪底受部により、特にバイクの前輪の下部を押圧保持できる。
４）、可動する前輪後受部により、特にバイクの前輪の後部を押圧保持できる。
５）、前輪後受部のロック機構により、より確実にバイクの前輪を保持できる。
【発明を実施するための最良の形態】
【０００９】  １はバイク用前輪保持具である。
２は、４隅に取付孔２ａを穿設してなる平板状の基台である。
３は、上記基台２の前方に設けてなる平板を２枚立設した前支持部である。
４は、上記基台２の後方に設けてなる平板を２枚立設した後支持部である。
５は、上記前支持部３に架設したコイルスプリング（図示せず）を内設してなる軸Ｓに略垂直方向に立設形成してなる前後方向に可動するくの字形に形成した２枚の上部アーム５ａの上端部に、コイルスプリング（図示せず）を内設してなる軸Ｓ１にて右上方向に上下方向に可動可能に支持してなる皿状の前輪前受５ｂを設けてある前輪前保持体である。
６は、上記軸Ｓに略水平方向に形成してなる上下方向に可動する２枚の下部アーム６ａの一側端部に、コイルスプリング（図示せず）を内設してなる軸Ｓ２にて右上方向に前後方向に可動可能に支持してなる皿状の前輪底受部６ｂを設けてある前輪底保持体である。
７は、上記後支持部４に架設した同様な軸Ｓ３にて前輪の後部を保持するシーソー状に可動する皿状の前輪後受部７ａを設けてなる前輪後保持体である。
８は、上記前輪後受部７ａに設けてあるロック機構で、後端をテーパー状に形成したカラー８ａ内に、圧縮スプリング（図示せず）により出入りするロックピン８ｂを設け、該ロックピン８ｂに後端にプランジャーレバー８ｃを固設し、ペダル軸受８ｄ（前輪後受部７ａに固着している）と出庫ペダル８ｅとからなるペダルアーム８ｆにより構成される。【００１０】  上記のように構成したバイク用前輪保持具１の使用例について説明する。（入庫）
１）、バイクＢを前進させ前輪Ｚを前輪後保持体７の前輪後受部７ａに入れ込む。
２）、この状態でバイクＢを前進させることにより、前輪前受５ｂが前輪Ｚ前部に当接し、そのまま下方に移動し、密着すると共に上部アーム５ａが後方へ移動する。
３）、同時に前輪底受部６ｂが前輪Ｚ底部に当接し、そのまま後方に移動し、密着すると共に、下部アーム６ａが下方へ移動する。
４）、また、同時に前輪後受部７ａが後方に移動し、自動的にロックピン８ｂが突出し、固定し、入庫を完了する。
つぎに、出庫する場合について説明する。
１）、出庫ペダル８ｅを足（図示せず）で踏むことにより、プランジャーレバー８ｃが下方に移動し、同時にロックピン８ｂが引っ込み前輪後受部７ａが前方に移動し、開放する。
２）、バイクＢを後進させることにより、前輪前受５ｂ・上部アーム５ａ・前輪底受部６ｂ・下部アーム６ａがバネ力により前輪Ｚを後方へ移動させる。
３）、前輪後受部７ａより出庫できるものである。【００１１】  なお、上記上部アーム・前輪前受部・下部アーム・前輪底受部・前輪後受部の形状等は同様な機能を有するものであれば、他の形状でもよい。
また、ロック機構においても、固定（解除）できるものであれば、特に限定しない。
【図面の簡単な説明】
【００１２】
【図１】  本発明の一実施例を示すバイク用前輪保持具の正面図。
【図２】  本発明の一実施例を示すバイク用前輪保持具の平面図。
【図３】  本発明の一実施例を示すバイク用前輪保持具の右側面図。
【図４】  本発明の一実施例を示すバイク用前輪保持具のロック機構の右側面図。
【図５】  本発明の一実施例を示すバイク用前輪保持具の第１使用状態図。
【図６】  本発明の一実施例を示すバイク用前輪保持具の第２使用状態図。
【図７】  本発明の一実施例を示すバイク用前輪保持具の第３使用状態図。
【図８】  本発明の一実施例を示すバイク用前輪保持具の第４使用状態図。
【符号の説明】
【００１３】１―――――バイク用前輪保持具
２―――――基台
２ａ――――取付孔
３―――――前支持部
４―――――後支持部
５―――――前輪前保持具
５ａ――――上部アーム
５ｂ――――前輪前受
６―――――前輪底保持体
６ａ――――下部アーム
６ｂ――――前輪底受部
７―――――前輪後保持体
７ａ――――前輪後受部
８―――――ロック機構
８ａ――――カラー
８ｂ――――ロックピン
８ｃ――――プランジャーレバー
８ｄ――――ペダル軸受
８ｅ――――出庫ペダル
８ｆ――――ペダルアーム
Ｓ―――――軸
Ｂ―――――バイク
Ｚ―――――前輪
【図１】
2010052706.tif 000003
【図２】
2010052706.tif 000004
【図３】
2010052706.tif 000005
【図４】
2010052706.tif 000006
【図５】
2010052706.tif 000007
【図６】
2010052706.tif 000008
【図７】
2010052706.tif 000009
【図８】
2010052706.tif 000010